(57)【特許請求の範囲】
【請求項１】
底壁２外周から第１周壁３を起立する容器本体１と、
該容器本体第１周壁３の上端部外面へ、キャップ頂壁11の外周から垂設した第２周壁12を嵌合させると共に、頂壁11中央部に穿設した透孔14の内面に上端筒部を固着させてシリンダ21を垂下し、かつ該シリンダ内からノズル付き作動部材30を上方付勢させて起立したキャップ付きポンプ部材20と、
上記シリンダ21の下部外面へ上部を摺動自在に嵌合させ、かつ管壁に吸込み孔53を有する吸上げパイプ50と、
該吸上げパイプの上部外面へ下方筒部を、かつ吸上げパイプ50よりも上方のシリンダ部分外面へ上方筒部を、それぞれ固着させると共に、それ等上下両筒部間の中間筒部には、蛇腹状筒部63を設けたシール筒60と、
上記吸上げパイプ50を胴部71内へ挿入させ、かつ上記蛇腹状筒部63を剛性を有する口頸部72内方へ位置させて容器本体１内へ収納させた、口頸部以外の部分を柔軟なシートで形成した、内部に液体を充填する柔軟容器70とからなり、
上記キャップ付きポンプ部材20の第２周壁12を容器本体の第１周壁３へ下限まで螺降させて締め付けたとき、
柔軟容器の底壁部分を介して吸上げパイプ50下端が容器本体の底壁２内面に接して下降が阻止された状態で、
吸上げパイプ50に対してシリンダ21が下降して、上記シール筒60を筒方向に弾性圧縮することにより、上記蛇腹状筒部63の大外径部63ａが大外径化して、該大外径部外面が柔軟容器口頸部72の内面へ水密に圧接可能に形成した
ことを特徴とするポンプ式液体注出容器。
【請求項２】
キャップ頂壁11の透孔14周縁から口筒16を起立すると共に、該口筒の上面へ、口筒16を挿通させたシリンダ21上部の外向きフランジ22を載置させ、かつ上記口筒16外面へ螺合させた装着筒80上端の内向きフランジ81を、上記外向きフランジ22上面へ係合させて、シリンダ21をキャップ10に取付け、
又上記口筒16周囲の頂壁部分下面から複数のガイド板17を垂下し、これ等ガイド板内側面が形成する内接円をシリンダ21外径と略同径として、該内接円にシリンダ21を挿通させ、
更に、上記各ガイド板17下面の少なくとも内方部下面を上内方への傾斜面17ａとして、これ等傾斜面へ柔軟容器口頸部72の上面部分を当接させた
ことを特徴とする請求項１記載のポンプ式液体注出容器。
【発明の詳細な説明】
【０００１】
【発明の属する技術分野】
本発明は、ポンプ式液体注出容器に関する。
【０００２】
【従来の技術】
【０００３】
【発明が解決しようとする課題】
押下げヘッドを押下げかつ開放することで、容器体内収納物を押下げヘッドのノズルから吐出させるよう形成したポンプ式の液体注出容器が周知であり、かつ例えば、実開平２−1266号広報記載のように、容器体内に、液体を充填した袋状の内容器体を収納させ、かつ該内容器体の口部をポンプのシリンダ外面に貼着させた容器が公知であり、該容器は、収納液体が外気に触れない等の利点がある。
【０００４】
上記従来例後者の容器において、内容器体が交換できると一層便利であることから、公知例として内容器体を交換できるよう形成したものもあるが、内容器体の交換が面倒であったり、或いは構造が複雑となってコスト高となった。
【０００５】
本発明は、内容器体を容易に交換できると共に、内容器体の口部を確実に密閉できるよう設けた。
【０００６】
【課題を解決するための手段】
第１の手段として、底壁２外周から第１周壁３を起立する容器本体１と、
該容器本体第１周壁３の上端部外面へ、キャップ頂壁11の外周から垂設した第２周壁12を嵌合させると共に、頂壁11中央部に穿設した透孔14の内面に上端筒部を固着させてシリンダ21を垂下し、かつ該シリンダ内からノズル付き作動部材30を上方付勢させて起立したキャップ付きポンプ部材20と、
上記シリンダ21の下部外面へ上部を摺動自在に嵌合させ、かつ管壁に吸込み孔53を有する吸上げパイプ50と、
該吸上げパイプの上部外面へ下方筒部を、かつ吸上げパイプ50よりも上方のシリンダ部分外面へ上方筒部を、それぞれ固着させると共に、それ等上下両筒部間の中間筒部には、蛇腹状筒部63を設けたシール筒60と、
上記吸上げパイプ50を胴部71内へ挿入させ、かつ上記蛇腹状筒部63を剛性を有する口頸部72内方へ位置させて容器本体１内へ収納させた、口頸部以外の部分を柔軟なシートで形成した、内部に液体を充填する柔軟容器70とからなり、
上記キャップ付きポンプ部材20の第２周壁12を容器本体の第１周壁３へ下限まで螺降させて締め付けたとき、
柔軟容器の底壁部分を介して吸上げパイプ50下端が容器本体の底壁２内面に接して下降が阻止された状態で、
吸上げパイプ50に対してシリンダ21が下降して、上記シール筒60を筒方向に弾性圧縮することにより、上記蛇腹状筒部63の大外径部63ａが大外径化して、該大外径部外面が柔軟容器口頸部72の内面へ水密に圧接可能に形成した。
【０００７】
第２の手段として、第１の手段を有すると共に、キャップ頂壁11の透孔14周縁から口筒16を起立すると共に、該口筒の上面へ、口筒16を挿通させたシリンダ21上部の外向きフランジ22を載置させ、かつ上記口筒16外面へ螺合させた装着筒80上端の内向きフランジ81を、上記外向きフランジ22上面へ係合させて、シリンダ21をキャップ10に取付け、
又上記口筒16周囲の頂壁部分下面から複数のガイド板17を垂下し、これ等ガイド板内側面が形成する内接円をシリンダ21外径と略同径として、該内接円にシリンダ21を挿通させ、
更に、上記各ガイド板17下面の少なくとも内方部下面を上内方への傾斜面17ａとして、これ等傾斜面へ柔軟容器口頸部72の上面部分を当接させた。
【０００８】
【発明の実施の形態】
図１から図３は本発明容器の第１実施形態を示し、該実施形態の容器は、容器本体１，キャップ付きポンプ部材20, 吸上げパイプ50, シール筒60および柔軟容器70からなり、容器本体１は、底壁２周縁から第１周壁３を起立し、かつ底壁２の中央部上面に小突部４を付設している。
【０００９】
キャップ付きポンプ部材20は、容器本体の第１周壁３上面を閉塞するキャップ10と、該キャップに取付けたポンプ部材20とからなり、キャップ10は、下外方へ傾斜する頂壁11の外周から第２周壁12を垂設して、該第２周壁内面を容器本体第１周壁３の上端部外面に螺合させ、かつ頂壁11の内周部を起立壁部13としている。
【００１０】
ポンプ部材20は、シリンダ21とノズル付き作動部材30とからなり、シリンダ21は、上端筒部を上記起立壁部13の上面に開口する透孔14内面に適宜手段により固着させており、図示例では、シンリダ21の上端部に付設した外向きフランジ22を、上記起立壁部13の上端に付設した内向きフランジ15下面に係合させ、かつその外向きフランジ22上方のシリンダ部分を、上記内向きフランジ15内方の透孔14から起立壁部13上方へ突出させると共に、シリンダ21の上端部内面に螺合筒部23を嵌合させ、かつ該螺合筒部の上端に付設した外向きフランジ24の外周下面から垂設した内外二重筒部のうち内筒部25を上記外向きフランジ22上方のシリンダ部分外面に嵌合固着させている。又シリンダ21の下部は、二段階に小径化して中径部21ａと小径部21ｂとし、中径部21ａの上部外面に係合突条26を周設し、かつその中径部21ａの底部に、弁座27と玉弁28とによって吸込み弁29を形成している。該吸込み弁は、他の公知の弁体によって形成してもよい。
【００１１】
ノズル付き作動部材30は、上記シリンダ21内に上下動可能にかつ抜き出し不能に嵌合させた、吐出弁31付きピストン部32から有底のステム33を起立し、該ステムの上部にノズル34付き押下げヘッド35から垂下したステム嵌合筒36を一体的に連結させている。上記ピストン部32は、ステム33下部と、該ステムの下部外面に嵌合させた内外二重筒状の筒状ピストン37とで形成し、又吐出弁31は、ステム33下端部に穿設した吐出弁孔38と、上記筒状ピストン37とで形成しており、その筒状ピストン37が、ステム33底壁外周の外向きフランジ状壁39とステム嵌合筒36下端面との間を上下して、上昇により吐出弁孔38を開孔し、下降により閉塞するよう形成している。又ステム33底壁外周の外向きフランジ状壁39下面と上記シリンダの中径部21ａ下部の内方張出し壁上面との間にコイルスプリング40を介在させ、該コイルスプリングによって作動部材30を上方付勢している。
【００１２】
吸上げパイプ50は、上部をシリンダの小径部21ｂ外面に摺動自在に嵌合させると共に、該小径部外面に嵌合させた管壁うちの上半を小外径として、該小外径部50ａの中間外面に係合突部51を周設し、かつシリンダ21下方の管壁に長溝52を等間隔に複数縦設し、それ等長溝の後面壁上下両部に吸込み孔53を穿設している。
【００１３】
シール筒60は、上記吸上げパイプの小外径部50ａ外面へ下方筒部を、かつシリンダの中径部21ａ上部に上方筒部を、それぞれ適宜手段で固着させており、図示例では、下方筒部内面に周設した第１係合凹溝61内に既述係合突条26を、かつ上方筒部内面に周設した第２係合凹溝62内に既述係合突部51を、それぞれ係止させている。又それ等上下両筒部間の中間筒部には、蛇腹状筒部63を設けており、該蛇腹状筒部については後述する。
【００１４】
柔軟容器70は、胴部71上端から剛性を有する口頸部72を起立し、該口頸部以外の部分を柔軟なシートで形成したものであり、胴部71内に液体を充填している。又該柔軟容器は、容器本体内に収納させて、上記吸上げパイプ50を胴部71内へ挿入させ、かつ図３が示すように、上記蛇腹状筒部の大外径部63ａを口頸部72の内面中間部に水密に圧接させている。当該柔軟容器は、収納液体が減少するにつれて収縮することとなるが、既述のように、吸込みパイプの吸込み孔53を長溝52の後面壁に穿設したから、柔軟容器が収縮することによって吸込み孔53が閉塞されて、収納液体の吸上げが阻害されることがない。
【００１５】
本発明では、上記キャップの第２周壁12を容器本体の第１周壁３へ下限まで螺降させて締め付けたとき、柔軟容器の底壁部分を介して吸上げパイプ50下端が容器本体の底壁２内面に接して下降が阻止されて、シリンダ21が吸上げパイプ50に対して下降するよう形成してある。図３は、キャップ第２周壁12を容器本体の第１周壁３に締め付ける前の状態を示し、該状態からキャップ第２周壁12を下限まで螺降させて締め付けると、吸上げパイプ50下端が、柔軟容器の底壁部分を介して容器本体底壁２の小突部４上面に接して下降が阻止され、図２のように、シリンダ21が吸上げパイプ50に対して下降して、蛇腹状筒部の大外径部63ａを大径化し、該大外径部外面が柔軟容器口頸部72の内面へ水密に圧接することとなる。
【００１６】
柔軟容器70は、収納液体を使い尽くしたならば交換するものとし、その手順を説明すると、先ず、図１の状態からキャップの第２周壁12を容器本体の第１周壁３上端部から螺脱させる。すると、先ず、シリンダ21が吸上げパイプ50に対して上昇するため、シール筒60が筒方向へ伸長されて、図３のように、蛇腹状筒部の大外径部63ａが小外径化し、該大外径部の外面が柔軟容器口頸部72の内面から離れることとなり、柔軟容器70内からシリンダ21および吸上げパイプ50を抜き出し、かつ容器本体内から柔軟容器70を取り出す。次いで、交換用の新たな柔軟容器を開蓋させて容器本体内に収容し、かつ容器本体第１周壁３の上端部にキャップの第２周壁12を下限まで螺降させて締め付けると、吸上げパイプ50の下端が、柔軟容器の底壁を介して容器本体底壁２の小突部４上面に接して下降が阻止されるため、シリンダ21が吸上げパイプ50に対して下降し、シール筒60が筒方向に弾性圧縮されて、蛇腹状筒部63の大外径部63ａが大外径化し、該大外径部の外面が柔軟容器口頸部72の内面に水密に圧接することとなる。
【００１７】
図４は、本発明容器の第２実施形態を示し、本実施形態については、第１実施形態と相違する部分のみを説明し、構造が同一の部分については同一の符号を付して説明を省略する。
【００１８】
本実施形態の容器は、キャップ頂壁11の透孔14周縁から起立する口筒16を有し、該口筒の上面へ、口筒16を挿通させたシリンダ21上部の外向きフランジ22を載置させ、かつその口筒16外面へ螺合させた装着筒80上端の内向きフランジ81を、上記外向きフランジ22上面へ係合させて、シリンダ21をキャップ10に取付けている。
【００１９】
又上記口筒16周囲の頂壁部分下面からは、複数のガイド板17を垂下し、かつこれ等ガイド板の内側面が形成する内接円をシリンダ21外径と略同径として、該内接円にシリンダ21を挿通させ、かつ上記各ガイド板17の内方部下面を上内方への傾斜面17ａとして、それ等傾斜面へ柔軟容器口頸部72の上面部分を当接させている。
【００２０】
柔軟容器70を交換する場合には、図４が示す状態から、容器本体の第１周壁３上端部からキャップ10の第２周壁12を螺脱させる。すると、先ず、シリンダ21が吸上げパイプ50に対して上昇するため、シール筒60が筒方向へ伸長されて、蛇腹状筒部の大外径部63ａが小外径化し、該大外径部の外面が柔軟容器口頸部72の内面から離れることとなり、柔軟容器70内からシリンダ21および吸上げパイプ50を抜き出し、かつ容器本体内から柔軟容器70を取り出す。交換用の新たな柔軟容器を容器本体内に収容させたならば、装着筒80を口筒16から螺脱させ、かつポンプ部材20をキャップ10から取り外す。次いで、該キャップの第２周壁12を容器本体第１周壁３の上端部に下限まで螺降させて締め付けると、ガイド板17の傾斜面17ａ中間部が柔軟容器口頸部72の上面部分に当接し、柔軟容器の口頸部72が所定位置に位置決めされる。次いで、シリンダ21と吸上げパイプ50を柔軟容器70内へ挿入させ、かつキャップ10の口筒16に装着筒80を螺合させると、吸上げパイプ50下端が、柔軟容器の底壁部分を介して容器本体底壁２の小突部４上面に接して、吸上げパイプ50の下降が阻止されるため、シリンダ21が吸上げパイプ50に対して下降し、シール筒60が筒方向に弾性圧縮されて、蛇腹状筒部63の大外径部63ａが大外径化し、該大外径部の外面が柔軟容器口頸部72の内面に水密に圧接することとなる。
【００２１】
【発明の効果】
本発明は、上記構成とするものであり、請求項１記載の発明の場合は、シリンダ21の下部外面へ吸上げパイプ50の上部を摺動自在に嵌合させ、かつキャップ10の第２周壁12を容器本体の第１周壁３へ下限まで螺降させて締め付けたとき、吸上げパイプ50に対してシリンダ21が下降することで、シール筒60を筒方向に弾性圧縮させて、蛇腹状筒部63の大外径部63ａを大外径化して、該大外径部外面を柔軟容器口頸部72の内面へ水密に圧接可能に形成したから、図１のように、キャップ10の第２周壁12を容器本体の第１周壁３へ下限まで螺降させて締め付けると、蛇腹状筒部63の大外径部63ａを大外径化して、該大外径部外面が柔軟容器口頸部72の内面へ水密に圧接することとなり、よって、柔軟容器の口頸部72を容易かつ確実に密閉することができ、又図１が示す状態から、キャップ10の第２周壁12を容器本体の第１周壁３から螺脱させると、シリンダ21が吸上げパイプ50に対して上昇し、シール筒60が筒方向へ伸長されて、図３のように、蛇腹状筒部の大外径部63ａが小外径化して、該大外径部の外面が柔軟容器口頸部72の内面から離れることとなり、よって、柔軟容器内からシリンダ21および吸上げパイプ50を容易に抜き出すことができ、よって、柔軟容器を簡単に交換することができる。
【００２２】
請求項２記載の発明の場合は、キャップ頂壁11の透孔14周縁から口筒16を起立すると共に、該口筒周囲の頂壁部分下面から複数のガイド板17を垂下し、かつ各ガイド板17下面の少なくとも内方部下面を上内方への傾斜面17ａとして、これ等傾斜面へ柔軟容器口頸部72の上面部分を当接させたから、柔軟容器を交換する際、ポンプ部材20と共にキャップ10を容器本体から取り外し、かつ交換用の柔軟容器を容器本体内に収容させ、次いで、キャップ10からポンプ部材20を取り外して、そのキャップ10の第２周壁12を容器本体の第１周壁３上端部に螺合させると、ガイド板の傾斜面17ａが柔軟容器口頸部72の上面部分に当接して、該口頸部を所定の位置に位置決めすることができ、よって、その柔軟容器口頸部へ吸上げパイプ50およびシリンダ21を容易に挿入できると共に、シール筒60の大外径部63ａ外面を柔軟容器口頸部の内面に一層確実に圧接させることができる。
【図面の簡単な説明】
【図１】  本発明容器の第１実施形態を示す縦断面図である。
【図２】  同実施形態の要部拡大縦断面図である。
【図３】  同実施形態を、吸上げパイプに対してシリンダを上限まで引き上げた状態で示す要部拡大縦断面図である。
【図４】  本発明容器の第２実施形態を示す縦断面図である。
【符号の説明】
１…容器本体  20…キャップ付きポンプ部材
30…作動部材  50…吸上げパイプ  60…シール筒
70…柔軟容器
【図１】
0003822398.tif 000002
【図２】
0003822398.tif 000003
【図３】
0003822398.tif 000004
【図４】
0003822398.tif 000005